(57)【要約】【課題】複数本仕立て苗が股割けにより枯れ死しにくく、別な要因で枝が枯れ死したり生長点がなくなったりした場合の対応を容易とする。【解決手段】栽培ベッド２４又は培地２６に植え付けられた複数本の苗２８から、それぞれの同一の根を持つ複数の枝１２を引き出す際に、同じ苗２８からは、同一の根を持つ複数の枝１２すべてを栽培ベッド２４の同じ側に引き出す一方、隣り合う苗２８からは、同一の根を持つ複数の枝１２すべてを栽培ベッド２４の反対側に引き出す。この際、１つの栽培ベッド２４又は培地２６に４本以上の苗２８を植え付けることができる。【選択図】図４
2019154322.tif 000002
【特許請求の範囲】
【請求項１】
栽培ベッド又は培地に植え付けられた複数本の苗から、それぞれの同一の根を持つ複数の枝を引き出す際に、
同じ苗からは、同一の根を持つ複数の枝すべてを栽培ベッドの同じ側に引き出す一方、
隣り合う苗からは、同一の根を持つ複数の枝すべてを栽培ベッドの反対側に引き出すことを特徴とする複数本仕立て苗の栽培方法。
【請求項２】
１つの栽培ベッド又は培地に４本以上の苗を植え付けることを特徴とする請求項１に記載の複数本仕立て苗の栽培方法。
【請求項３】
１つの栽培ベッド又は培地に偶数の苗を植え付けることを特徴とする請求項１又は２に記載の複数本仕立て苗の栽培方法。
【請求項４】
栽培ベッド又は培地に植え付けられた複数本の苗から、それぞれの同一の根を持つ複数の枝を引き出すようにした複数本仕立て苗の栽培装置において、
同じ苗から、同一の根を持つ複数の枝すべてを栽培ベッドの同じ側に引き出すための誘引手段と、
隣り合う苗から、同一の根を持つ複数の枝すべてを栽培ベッドの反対側に引き出すための誘引手段と、
を備えたことを特徴とする複数本仕立て苗の栽培装置。
【請求項５】
１つの栽培ベッド又は培地に４本以上の苗が植え付けられていることを特徴とする請求項４に記載の複数本仕立て苗の栽培装置。
【請求項６】
１つの栽培ベッド又は培地に偶数の苗が植え付けられていることを特徴とする請求項４又は５に記載の複数本仕立て苗の栽培装置。
【発明の詳細な説明】
【技術分野】
【０００１】
本発明は、複数本仕立て苗の栽培方法及び装置に係り、特に、トマトの２本仕立て苗に用いるのに好適な、苗の根元が裂けたり折れたりしづらく、どちらかの枝１本が枯れ死したり、生長点がなくなったりした場合も対応が容易な複数本仕立て苗の栽培方法及び装置に関する。
【背景技術】
【０００２】
日射・風向きなどの天候データや温室内の温度・湿度など数多くのデータを取り込み、植物の生育に最適な条件となるように制御する、いわゆるオランダ型高度栽培制御システムが知られている。
【０００３】
この栽培制御システムにおいては、図１に例示する如く、温室構造物２０の天井より吊下ワイヤ２２により吊り下げられた栽培ベッド２４に置かれたロックウールやピートモス等の培地（図ではスラブ状の培地）２６に植物１０の根を活着させ養液を供給すると共に、天井に張られた誘引ワイヤ３２から吊り下げられた、植物１０の茎に沿って配設される誘引紐３０で植物１０を誘引するようにされている。
【０００４】
この際、誘引ワイヤ３２を高い位置に張ってハイワイヤとし、植物１０を伸ばし続け、１０か月程度の長期に亘って収穫する。その結果、最終的な長さが１０ｍ程度になるため、生長点のある枝の一番高い位置が一定の高さになるように、作業車を用いて、横にずらしながら調整している。
【０００５】
一方、トマトの栽培においては、特許文献１に記載されたような方法で２本仕立て苗を作成し、これを栽培することで、生産の効率化が図られている。
【０００６】
トマトの２本仕立て苗に際しては、通常図２に示す如く、２本仕立て苗の片側の枝１２を栽培ベッド２４の片側に引き出し、もう１本の枝１２を栽培ベッド２４の反対側に引き出している。図において、苗２８の設置状況としては、セル成形苗やプラグ苗のように培地がほとんどなく根が大半のタイプのまま培地２６の上に置く場合が描かれている。その他に、苗２８がロックウールやココピートなどのブロック状の少量の培地に根を生やした状態で、その少量の培地をスラブ状の培地２６の上に置くことがある。又、培地２６を必要としない栽培ベッドに穴があり、そこに苗を直接配置する構造のものや、培地２６がスラブ状ではなくフィルム状のものなどもある。
【先行技術文献】
【特許文献】
【０００７】
【特許文献１】特開２０１６−１１１９４９号公報
【発明の概要】
【発明が解決しようとする課題】
【０００８】
しかしながら、同じ苗２８の２本の枝１２をそれぞれ栽培ベッド２４の両側に振り分けると、苗の根元で股割け状態になり、過度な引っ張りや衝撃が加わると、根元で裂けてしまい、片側の枝１２が枯れ死し、ロスを生じることがある。
【０００９】
又、同じ苗２８のどちらかの枝１２が枯れ死したり、生長点がなくなったりすると、反対側の枝１２が吸収できる水の量が多くなり、肥大化して、均質なトマトを栽培できなくなる。又、潅水量が多く、大きく育った場合、その苗だけ成長速度が速いため、生長点の高さを揃えるのが困難になってくる。更に大きく育った場合、葉長が長くなり、他の苗に本来当たるべき光を阻害してしまい、隣の苗に対して悪い影響を及ぼしてしまう。又、潅水量が多い場合、培地が過湿状態になり、根に酸素が適切に供給されずに根腐してしまい、生育障害が生じることがある。又、潅水量が多い場合、例えば高糖度化を目指す場合には、トマトの糖度が低下するという問題点が生じる。
【００１０】
その対策として、図３に例示する如く、ポンプ４０から潅水ホース４２、潅水量を調整するためのドリッパー４４、潅水チューブ４６を介してその苗２８に潅水されている水量を半分にすることが考えられるが、そのためには、潅水量を調節しているドリッパー４４を交換する必要があり、手間がかかるだけでなく、苗２８を植え替えた時に再びドリッパー４４を元に戻す必要がある。
【００１１】
なお、片側に引き出した枝が無くなった時に、反対側に引き出した枝から脇芽を伸ばして新しい枝として再度片側のみで２本の枝を持つことも可能であるが、本来、栽培ベッド２４の反対側にあったものを別側に持ってくることになり、栽培ベッド２４の片側の枝の数が変わり、光の当たり方が均等でなくなるだけでなく、誘引紐３０を反対側に設置する手間がかかる。
【００１２】
又、同じ苗２８から出ている、栽培ベッド２４の反対側に引き出した生きている枝を探すときに、栽培ベッド２４の反対側にあるため、同一の根を持つ目的の枝を探し間違える危険性がある。
【００１３】
最終的に、同じ苗２８内の片側の枝が無くなり、潅水量を調整できない場合、反対側の枝が大きく肥大化してしまい、糖度が落ち、規格外で売れなくなるため、根元から切断してその枝を撤去する必要があり、撤去する手間がかかると共に、枝数が減少してしまう。
【００１４】
本発明は、前記従来の問題点を解決するべくなされたもので、苗が股割けにより枯れ死しにくく、別な要因で枝が枯れ死したり生長点がなくなったりした場合にも容易に対応できるようにすることを課題とする。
【課題を解決するための手段】
【００１５】
本発明は、栽培ベッド又は培地に植え付けられた複数本の苗から、それぞれの同一の根を持つ複数の枝を引き出す際に、同じ苗からは、同一の根を持つ複数の枝すべてを栽培ベッドの同じ側に引き出す一方、隣り合う苗からは、同一の根を持つ複数の枝すべてを栽培ベッドの反対側に引き出すことにより前記課題を解決するものである。
【００１６】
本発明は、又、栽培ベッド又は培地に植え付けられた複数本の苗から、それぞれの同一の根を持つ複数の枝を引き出すようにした複数本仕立て苗の栽培装置において、同じ苗から、同一の根を持つ複数の枝すべてを栽培ベッドの同じ側に引き出すための誘引手段（例えば誘引紐）と、隣り合う苗から、同一の根を持つ複数の枝すべてを栽培ベッドの反対側に引き出すための誘引手段（例えば誘引紐）と、を備えたことを特徴とする複数本仕立て苗の栽培装置を提供するものである。
【００１７】
ここで、１つの栽培ベッド又は培地に４本以上の苗を植え付けることができる。
【００１８】
又、１つの栽培ベッド又は培地に偶数の苗を植え付けることができる。
【発明の効果】
【００１９】
本発明によれば、同一の根を持つ複数本の枝すべてを同じ側に引き出すことにより、股割けしにくくなり、股割けによって苗が枯れ死することがない。従来は１０パーセントくらいの股割けによるロスが生じていたのが、本発明によれば、股割けによるロスはほぼ０パーセントとなる。従って、枯れ死したり生長点がなくなったりすることを考慮して多めに苗を入れる必要が無くなるので、栽培の効率化につながる。
【００２０】
又、同一の根を持つ枝すべてを栽培ベッドの同じ側に引き出すので、片側の枝が枯れ死したり生長点がなくなったりした場合、もう一方の枝がどれかを探すのが容易になる。又、枯れ死したり生長点がなくなったりした枝の誘引紐がその場にあるので、それを使用して、同一の根を持つもう片方の生きている枝の脇芽を伸ばした新たな枝を誘引可能となる。又、栽培ベッドの片側の枝の数に変動が生じないので、光の当たり方に変化を生じることもない。
【図面の簡単な説明】
【００２１】
【図１】トマトの栽培方法の例を示す斜視図
【図２】従来の２本仕立て苗の枝の引き出し方法を示す（Ａ）側面図及び（Ｂ）平面図
【図３】同じく潅水設備の例を示す正面図
【図４】本発明の実施形態における２本仕立て苗の枝の引き出し方法を示す（Ａ）側面図及び（Ｂ）平面図
【発明を実施するための形態】
【００２２】
以下、図面を参照して、本発明の実施の形態について詳細に説明する。なお、本発明は以下の実施形態及び実施例に記載した内容により限定されるものではない。また、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００２３】
本発明をトマトの２本仕立て苗に適用した実施形態を図４に示す。
【００２４】
本実施形態では、図４（Ｂ）に良く示される如く、同じ苗２８からは同一の根を持つ２本仕立て苗の枝１２をともに栽培ベッド２４の同じ側に引き出す一方、隣り合う苗２８からは、同一の根を持つ２本仕立て苗の枝１２をともに栽培ベッド２４の反対側に引き出すようにしたものである。
【００２５】
具体的には、１つ目の苗２８の同一の根を持つ枝１２は、２本とも栽培ベッド２４の同じ側に引き出す。その隣の苗２８の同一の根を持つ枝１２は、２本とも、今度は栽培ベッド２４の反対側に引き出す。３つ目の苗２８の同一の根を持つ２本の枝１２をともに、１つめの苗２８と同じ側に引き出し、４つ目の苗２８の同一の根を持つ２本の枝１２をともに、２つ目の苗２８と同じ側に引き出す。
【００２６】
この際、１つの培地２６に苗２８を４本以上植え付けることにより、苗２８の同一の根を持つ両方の枝が枯れ死したりして、例えば根元で切断された場合においても、培地２６が栽培ベッド２４の片側だけに引きずられることがなく、培地２６が安定し易い。
【００２７】
なお、前記実施形態は、本発明が２本仕立て苗のトマトに適用されていたが、本発明の適用対象はこれに限定されず、３本仕立てや４本仕立てなどの複数本で苗を仕立てているトマトや、トマト以外の作物にも同様に適用することができる。
【００２８】
又、栽培システムも、図１に例示したような栽培ベッド２４まで天井から吊り下げるものに限定されず、栽培ベッド２４を地面に直接置くものにも同様に適用できる。又、培地２６が省略されている場合にも適用可能である。
【符号の説明】
【００２９】
１０…植物
１２…同一の根を持つ複数本のうちの１本の枝
２０…温室構造物
２２…吊下ワイヤ
２４…栽培ベッド
２６…培地
２８…苗
３０…誘引紐
３２…誘引ワイヤ
３４…吊下フック
４０…ポンプ
４２…潅水ホース
４４…ドリッパー
４６…潅水チューブ
【図１】
2019154322.tif 000003
【図２】
2019154322.tif 000004
【図３】
2019154322.tif 000005
【図４】
2019154322.tif 000006